(57)【要約】【課題】シンク機器から電源電圧が供給されるセットトップボックスにおいて、視聴モード切り替え時に品質の良い信号供給をする【解決手段】電源制御部２０３は、デジタルテレビ受像機１００の視聴モードに応じて、デジタルテレビ受像機１００から供給された電源電圧を自機内部の各処理部及びＢＳ／ＣＳアンテナ３００に分配する。制御部２０９は、ストレージ２０７またはネットワークから映像信号を取得し、取得した映像信号を出力する。混合部２０４は、ＢＳ／ＣＳアンテナ３００から受信した放送信号、及び制御部２０９が出力した映像信号、の少なくとも一方をデジタルテレビ受像機１００に供給する。電源制御部２０３は、視聴モードが放送視聴モードに切り替わった場合、ＢＳ／ＣＳアンテナ３００への電源電圧の供給を開始し、供給電源電圧が所定レベル内となった後に混合部２０４に放送信号の出力を指示する。【選択図】図１
2013179389.tif 000002
【特許請求の範囲】
【請求項１】
ストレージまたはネットワークから取得した映像信号を視聴するコンテンツ視聴モード、放送信号を視聴する放送視聴モード、を含む視聴モードで動作するシンク装置と、アンテナ装置と、接続可能なセットトップボックスであって、
前記視聴モードに応じて、前記シンク装置から供給された電源電圧を自機内部の各処理部及び前記アンテナ装置に分配する電源制御部と、
前記ストレージまたはネットワークから映像信号を取得し、取得した映像信号を出力する制御部と、
前記アンテナ装置から受信した放送信号、及び前記制御部が出力した映像信号、の少なくとも一方を前記シンク装置に供給する送信部と、を備え、
前記電源制御部は、前記視聴モードが前記放送視聴モードに切り替わった場合、前記アンテナ装置への電源電圧の供給を開始し、前記アンテナ装置への供給電源電圧が安定電圧レベルとなった後に前記送信部に前記放送信号の出力を指示する、
セットトップボックス。
【請求項２】
前記セットトップボックスは、
前記放送視聴モードの際に電源電圧の遮断が可能な停止可能処理部と、常時電源電圧が供給される常時稼働処理部と、を有し、
前記電源制御部は、
前記シンク装置から電源電圧が供給され、前記アンテナ装置への電源電圧の供給を制御するスイッチと、
前記シンク装置から電源電圧が供給され、前記停止可能処理部への電源電圧の供給を制御する停止可能電圧生成部と、
前記シンク装置から電源電圧が供給され、前記常時稼働処理部への電源電圧の供給を制御する常時電源電圧生成部と、
前記アンテナ装置に供給する電源電圧を監視し、供給している電源電圧が前記安定電圧レベルとなっているかを判定する電圧監視部と、
前記視聴モードを管理し、当該視聴モードに基づいて、前記スイッチ、前記停止可能電圧生成部、及び前記常時電源電圧生成部の電源電圧の供給動作を制御する電源状態管理部と、を備える、請求項１に記載のセットトップボックス。
【請求項３】
前記電源電圧管理部は、前記視聴モードが前記コンテンツ視聴モードから前記放送視聴モードに切り替わった場合、前記常時電源電圧生成部に効率モード制御信号を出力し、
前記常時電源電圧生成部は、前記効率モード制御信号の入力の有無に応じて、前記シンク装置から供給された電源電圧に対して行うＤＣ／ＤＣ変換の変換モードを切り替え、ＤＣ／ＤＣ変換後の電源電圧を前記常時稼働処理部に供給する、請求項２に記載のセットトップボックス。
【請求項４】
前記送信部は、
前記コンテンツ視聴モードの場合、前記映像信号を出力し、
前記放送視聴モードの場合、前記放送信号に、前記ストレージから取得した前記コンテンツ視聴モードへの切り替え用画面情報を重畳して出力する、請求項１に記載のセットトップボックス。
【請求項５】
前記電圧監視部は、前記スイッチを介さずに他の装置から前記アンテナ装置への電源電圧の供給が行われているか否かを判定し、
前記電源状態管理部は、前記スイッチを介さずに他の装置から前記アンテナ装置への電源電圧の供給が行われている場合、前記停止可能処理部及び前記常時電源電圧生成部の双方に電源電圧を供給する、請求項２に記載のセットトップボックス。
【請求項６】
前記アンテナ装置から受信した放送信号を分波する分波部と、
前記分波部が出力した分波信号を変調するチューナと、
前記チューナの出力信号を復調する復調部と、を更に備え、
前記制御部は、前記復調部が復調した復調信号を前記ストレージに格納することにより録画処理を行う、請求項５に記載のセットトップボックス。
【請求項７】
前記送信部は、
前記スイッチを介さずに他の装置から前記アンテナ装置への電源電圧の供給が行われている場合、前記視聴モードに関わらず、前記放送信号と前記映像信号を重畳して出力する、請求項５に記載のセットトップボックス。
【請求項８】
前記スイッチは、前記電源状態管理部の制御に応じて、前記前記シンク装置から供給された電源電圧をそのまま前記アンテナ装置に供給し、
前記停止可能電圧生成部は、前記電源状態管理部の制御に応じて、前記前記シンク装置から供給された電源電圧をＤＣ／ＤＣ変換した後に前記停止可能処理部に供給し、
前記常時電源電圧生成部は、前記電源状態管理部の制御に応じて、前記前記シンク装置から供給された電源電圧をＤＣ／ＤＣ変換した後に前記常時稼働処理部に供給する、請求項２に記載のセットトップボックス。
【請求項９】
ストレージまたはネットワークから取得した映像信号を視聴するコンテンツ視聴モード、放送信号を視聴する放送視聴モード、を含む視聴モードで動作するシンク装置と、アンテナ装置と、接続するセットトップボックスに設置される半導体チップであって、
前記視聴モードに応じて、前記シンク装置から供給された電源電圧を前記セットトップボックス内部の各処理部及び前記アンテナ装置に分配する電源制御部と、
前記ストレージまたはネットワークから映像信号を取得し、取得した映像信号を出力する制御部と、
前記アンテナ装置から受信した放送信号、及び前記制御部が出力した映像信号、の少なくとも一方を前記シンク装置に供給する送信部と、を備え、
前記電源制御部は、前記視聴モードが前記放送視聴モードに切り替わった場合、前記アンテナ装置への電源電圧の供給を開始し、前記アンテナ装置への供給電源電圧が安定電圧レベルとなった後に前記送信部に前記放送信号の出力を指示する、半導体チップ。
【請求項１０】
前記セットトップボックスは、
前記放送視聴モードの際に電源電圧の遮断が可能な停止可能処理部と、常時電源電圧が供給される常時稼働処理部と、を備え、
前記電源制御部は、
前記シンク装置から電源電圧が供給され、前記アンテナ装置への電源電圧の供給を制御するスイッチと、
前記シンク装置から電源電圧が供給され、前記停止可能処理部への電源電圧の供給を制御する停止可能電圧生成部と、
前記シンク装置から電源電圧が供給され、前記常時稼働処理部への電源電圧の供給を制御する常時電源電圧生成部と、
前記アンテナ装置に供給する電源電圧を監視し、供給している電源電圧が前記安定電圧レベルとなっているかを判定する電圧監視部と、
前記視聴モードを管理し、当該視聴モードに基づいて、前記スイッチ、前記停止可能電圧生成部、及び前記常時電源電圧生成部の電源電圧の供給動作を制御する電源状態管理部と、を備える、請求項９に記載の半導体チップ。
【請求項１１】
前記電源電圧管理部は、前記視聴モードが前記コンテンツ視聴モードから前記放送視聴モードに切り替わった場合、前記常時電源電圧生成部に効率モード制御信号を出力し、
前記常時電源電圧生成部は、前記効率モード制御信号の入力の有無に応じて、前記シンク装置から供給された電源電圧に対して行うＤＣ／ＤＣ変換の変換モードを切り替え、ＤＣ／ＤＣ変換後の電源電圧を前記常時稼働処理部に供給する、請求項１０に記載の半導体チップ。
【請求項１２】
前記送信部は、
前記コンテンツ視聴モードの場合、前記映像信号を出力し、
前記放送視聴モードの場合、前記放送信号に、前記ストレージから取得した前記コンテンツ視聴モードへの切り替え用画面情報を重畳して出力する、請求項９に記載の半導体チップ。
【請求項１３】
前記電圧監視部は、前記スイッチを介さずに他の装置から前記アンテナ装置への電源電圧の供給が行われているか否かを判定し、
前記電源状態管理部は、前記スイッチを介さずに他の装置から前記アンテナ装置への電源電圧の供給が行われている場合、前記停止可能処理部及び前記常時電源電圧生成部の双方に電源電圧を供給する、請求項１０に記載の半導体チップ。
【請求項１４】
前記アンテナ装置から受信した放送信号を分波する分波部と、
前記分波部が出力した分波信号を変調するチューナと、
前記チューナの出力信号を復調する復調部と、を更に備え、
前記制御部は、前記復調部が復調した復調信号を前記ストレージに格納することにより録画処理を行う、請求項１３に記載の半導体チップ。
【請求項１５】
前記送信部は、
前記スイッチを介さずに他の装置から前記アンテナ装置への電源電圧の供給が行われている場合、前記視聴モードに関わらず、前記放送信号と前記映像信号を重畳して出力する、請求項１３に記載の半導体チップ。
【請求項１６】
前記スイッチは、前記電源状態管理部の制御に応じて、前記前記シンク装置から供給された電源電圧をそのまま前記アンテナ装置に供給し、
前記停止可能電圧生成部は、前記電源状態管理部の制御に応じて、前記前記シンク装置から供給された電源電圧をＤＣ／ＤＣ変換した後に前記停止可能処理部に供給し、
前記常時電源電圧生成部は、前記電源状態管理部の制御に応じて、前記前記シンク装置から供給された電源電圧をＤＣ／ＤＣ変換した後に前記常時稼働処理部に供給する、請求項１０に記載の半導体チップ。
【請求項１７】
ストレージまたはネットワークから取得した映像信号を視聴するコンテンツ視聴モード、放送信号を視聴する放送視聴モード、を含む視聴モードで動作するシンク装置と、アンテナ装置と、接続可能なセットトップボックスの制御方法であって、
前記視聴モードに応じて、前記シンク装置から供給された電源電圧を自機内部の各処理部及び前記アンテナ装置に分配し、
前記ストレージまたはネットワークから取得した映像信号、前記アンテナ装置から受信した放送信号、の少なくとも一方を前記シンク装置に供給し、
前記視聴モードが前記放送視聴モードに切り替わった場合、前記アンテナ装置への電源電圧の供給を開始し、前記アンテナ装置への供給電源電圧が安定電圧レベルとなった後に前記放送信号を前記シンク装置に供給する、制御方法。
【発明の詳細な説明】
【技術分野】
【０００１】
本発明は、セットトップボックス、半導体チップ、及び制御方法に関し、例えば外部から電源供給がなされるセットトップボックス、半導体チップ、及びセットトップボックスの制御方法に関する。
【背景技術】
【０００２】
ケーブルテレビ放送や衛星放送等の放送信号を受信して、受信した放送信号を一般のデジタルテレビ受像機で視聴可能な信号に変換するセットトップボックスが広く使用されている。近年のセットトップボックスは、Ｗｉ−Ｆｉ（Wireless Fidelity）等のネットワーク接続に対応しているものも多い。
【０００３】
セットトップボックスは、例えばデジタルテレビ受像機の物理的近辺に配置されることが多い。一般的に、セットトップボックスは、物理的な配置制約等から小型であることが望ましく、様々な小型化の施策が行われている。しかしながら、セットトップボックスには、ＡＣ（Alternating Current）電源やＡＣアダプタと接続するためのケーブルが必要である。そのため、セットトップボックス自体が小型となったとしても、ケーブル配線による配置制約が生じていた。
【０００４】
以下、ケーブル配線による配置制約を解消し得る関連技術について説明する。特許文献１には、受信装置（シンク機器）に接続される送信装置（ソース機器）の電源回路の簡略化に関する技術が開示されている。当該ソース機器は、いわゆるセットトップボックスに該当する。当該ソース機器は、シンク機器から必要とする電圧値、電流値の電源の供給を受ける。
【０００５】
特許文献２には、ＬＮＢ（Low Noise Block Converter）に供給されるべき駆動電圧の有効活用を図ることができる手法の一態様が開示されている。特許文献２に記載のシステムは、デジタルテレビ受像機等に内蔵されるＢＳチューナと、ＬＮＢと、セットトップボックスと、これらの機器の間の電源供給を制御する電源供給回路と、を備える。特許文献２には、電源供給回路が、ＢＳチューナにより発生される直流電圧がＬＮＢの駆動に利用されないときに、セットトップボックスに直流電流を供給するという技術的思想が開示されている。
【０００６】
上記した特許文献１、２の技術では、デジタルテレビ受像機等のシンク機器からセットトップボックス等に対する電源電圧の供給について開示している。これにより、セットトップボックスをはじめとする機器において、固有のＡＣ電源が不要となり、ＡＣ電源のケーブル配線に関する問題が解消される。すなわち、セットトップボックスにおける配置制約が軽減される。
【０００７】
また、テレビ受像機から映像ソース機器に対して電源を供給する仕組みとしてＭＨＬ  ＣｏｎｓｏｒｔｉｕｍによるＭＨＬ（Mobile High definition Link）規格が近年策定されている。
【先行技術文献】
【特許文献】
【０００８】
【特許文献１】特開２００９−４４７０６号公報
【特許文献２】特開２０００−１５６６４９号公報
【発明の概要】
【発明が解決しようとする課題】
【０００９】
特許文献１に記載の技術では、送信装置（ソース機器）にのみシンク機器からの電源電圧が供給されており、ＬＮＢに相当する機器に対して電源電圧を供給することが考慮されていない。
【００１０】
特許文献２に記載の技術では、セットトップボックス及びＬＮＢの双方に対して、デジタルテレビ受像機（に内蔵されるＢＳチューナ）からの電源電圧を供給する技術思想が開示されている。詳細には、視聴モードの切り替えに応じて、各処理部に供給する電源電圧の供給状態を変化させることが開示されている。しかし、特許文献２には、セットトップボックスの視聴モード（ＢＳ／ＣＳ放送視聴モード、ストレージコンテンツ視聴モード等）切り替え時における、各処理部に対する電源電圧の供給制御（順序）の詳細が開示されていない。そのため、例えばストレージコンテンツの視聴から放送視聴に切り替える場合、放送信号を受信するＢＳアンテナに供給する電源電圧を変化させた直後から、放送信号をデジタルテレビ受像機に送信してしまう。この場合、ＢＳアンテナに供給される電源電圧が不安定であるため、ノイズが混入した信号をそのままデジタルテレビ受像機に供給してしまう恐れがある。これにより、デジタルテレビ受像機における動作に悪影響を及ぼす恐れがあった。
【００１１】
すなわち、上記した技術では、シンク機器から電源電圧が供給される通信機器（セットトップボックス）において、視聴モード切り替え時に品質の良い信号をシンク機器に供給をすることが困難であるという課題が生じていた。
【００１２】
なお、その他の課題と新規な特徴は、本明細書の記述及び添付図面から明らかになるであろう。
【課題を解決するための手段】
【００１３】
一実施の形態によれば、セットトップボックスは、接続するシンク装置から電源電圧供給を受け、当該電源電圧を内部処理部及びアンテナ装置に分配する。セットトップボックスは、前記アンテナ装置から受信した放送信号、またはストレージ等から取得した映像信号をシンク装置に供給する。セットトップボックスは、シンク装置においてコンテンツ視聴から放送視聴に切り替える際に、前記アンテナ装置への電源電圧の供給を開始し、供給電源電圧が所定レベル内となった後に前記放送信号を出力する。
【発明の効果】
【００１４】
前記一実施の形態によれば、シンク機器から電源電圧が供給される通信機器（セットトップボックス）において、視聴モード切り替え時に品質の良い信号をシンク機器に供給をすることできる。
【図面の簡単な説明】
【００１５】
【図１】本発明の実施の形態１にかかる放送通信システムの構成を示すブロック図である。
【図２】本発明の実施の形態１にかかる制御部の構成を示すブロック図である。
【図３】本発明の実施の形態１にかかる電源制御部の構成を示すブロック図である。
【図４】本発明の実施の形態１にかかる電源状態管理部が保持する状態の遷移を示す図である。
【図５】本発明の実施の形態１にかかるセットトップボックスの放送視聴モードにおける電源電圧の供給状態を示す図である。
【図６】本発明の実施の形態１にかかるセットトップボックスのコンテンツ視聴モードにおける電源電圧の供給状態を示す図である。
【図７】本発明の実施の形態１にかかるセットトップボックスのおけるコンテンツ視聴モードから放送視聴モードへの切替時の電源電圧制御を示すフローチャートである。
【図８】本発明の実施の形態１にかかるセットトップボックスのおける放送視聴モードからコンテンツ視聴モードへの切替時の電源電圧制御を示すフローチャートである。
【図９】本発明の実施の形態１にかかるセットトップボックスにおける電源電圧の変化を示す概念図である。
【図１０】本発明の実施の形態２にかかる放送通信システムの構成を示すブロック図である。
【図１１】本発明の実施の形態２にかかる電源制御部の構成を示すブロック図である。
【図１２】本発明の実施の形態２にかかるセットトップボックスの構成を示すブロック図である。
【発明を実施するための形態】
【００１６】
＜実施の形態１＞
以下、図面を参照して本発明にかかる実施の形態について説明する。説明の明確化のため、以下の記載及び図面は、適宜、省略、及び簡略化がなされている。なお、各図面において、同一の要素には同一の符号が付されており、必要に応じて重複説明は省略されている。
【００１７】
図１は、本実施の形態にかかる放送通信システムの構成を示すブロック図である。本システムは、デジタルテレビ受像機１００と、セットトップボックス２００と、ＢＳ／ＣＳアンテナ３００と、ＩＲ受像機４００と、を備える。なお、図１において、点線矢印は、電源電圧の流れを示す。
【００１８】
デジタルテレビ受像機１００（シンク装置）は、内部にＢＳ／ＣＳチューナ１０１を備える。デジタルテレビ受像機１００は、セットトップボックス２００から映像信号を受信し、表示モニタに映像信号を表示する機器である。デジタルテレビ受像機１００は、視聴モードに応じて動作する。視聴モードには、デジタルテレビ受像機１００においてＢＳ／ＣＳ放送信号を視聴する放送視聴モード、デジタルテレビ受像機１００においてストレージ２０７またはネットワークから取得した映像信号を視聴するコンテンツ視聴モード、が含まれる。
【００１９】
ＢＳ／ＣＳチューナ１０１は、セットトップボックス２００から送信される各種信号を受信する内部機器である。ＢＳ／ＣＳチューナ１０１は、セットトップボックス２００に対して電源電圧を供給する。なお、一般的に、ＢＳ／ＣＳチューナ１０１は、ＤＣ１５Ｖ、最大４Ｗの電源電圧をセットトップボックス２００に供給可能である。
【００２０】
ＢＳ／ＣＳアンテナ３００は、ＢＳ／ＣＳ放送信号を受信するアンテナである。ＢＳ／ＣＳアンテナ３００は、後述するように、セットトップボックス２００を介してデジタルテレビ受像機１００から電源電圧の供給を受ける。ＢＳ／ＣＳアンテナ３００は、内部にＬＮＢ（Low Noise Block Converter）３０１を備える。
【００２１】
セットトップボックス２００は、ＢＳ／ＣＳコネクタ２０１と、コンデンサ２０２と、電源制御部２０３と、混合部２０４と、コンデンサ２０５と、ＢＳ／ＣＳコネクタ２０６と、ストレージ２０７と、ＭＰＥＧ−２エンコーダ２０８と、制御部２０９と、ＷｉＦｉインターフェイス２１０と、ＲＦインターフェイス２１１と、ＩＲインターフェイス２１２と、変調部２１３と、を備える。
【００２２】
ＢＳ／ＣＳコネクタ２０１は、ＢＳ／ＣＳチューナ１０１とのインターフェイスとなる処理部である。同様に、ＢＳ／ＣＳコネクタ２０６は、ＢＳ／ＣＳアンテナ３００とのインターフェイスとなる処理部である。コンデンサ２０２及び２０５は、直流電流を遮断する素子である。
【００２３】
電源制御部２０３には、ＢＳ／ＣＳチューナ１０１から供給された電源電圧が入力される。電源制御部２０３は、内部に保持するデジタルテレビ受像機１００の視聴モード（以下、単に視聴モードと記載する。）の情報と、制御部２０９から入力される制御信号と、に応じて、ＢＳアンテナ３００及びセットトップボックス２００内部の各処理部に対して電源電圧を供給する処理部である。ここで、制御信号は、上述の視聴モード（放送視聴モード、コンテンツ視聴モード）を切り替える指示信号である。電源制御部２０３による電源電圧の制御及び内部構成は、図３〜図６を参照して後述する。
【００２４】
ストレージ２０７は、ＷｉＦｉ接続によりダウンロードしたネットワークコンテンツ（いわゆる動画ファイル）を保持する記憶装置である。また、ストレージ２０７は、ＢＳ／ＣＳ放送への切り替えに用いる画面データ（たとえば、「放送信号からネットワークコンテンツへの視聴に切り替える場合にはリモートコントローラのＸボタンを押してください」という指示メッセージを表示する表示画面である。以下、当該表示画面を切替用表示画面とも記載する。）も保持する。ストレージ２０７の一例として、フラッシュメモリが該当する。
【００２５】
ＭＰＥＧ−２エンコーダ２０８は、制御部２０９から送信されたＭＰＥＧ−２（Moving Picture Experts Group phase 2）形式の動画コンテンツをエンコードし、エンコード済みの動画コンテンツを制御部２０９に送信する処理部である。なお、当該エンコーダは、あくまで一例であり、他の圧縮形式の動画コンテンツをエンコード可能に構成しても良い。
【００２６】
制御部２０９は、各種インターフェイス（ＷｉＦｉインターフェイス２１０、ＲＦインターフェイス２１１、ＩＲインターフェイス２１２）からの制御信号や動画コンテンツを受信し、他の処理部の制御を行う処理部である。制御部２０９は、一般的にＭＰＵ（Micro-Processing Unit）及びＭＰＥＧデコーダから構成される。制御部２０９の詳細な構成は、図２を参照して後述する。
【００２７】
ＷｉＦｉインターフェイス２１０は、無線ＬＡＮ（Local Area Network）を介して、ネットワーク上のコンテンツの送受信を行うインターフェイスである。ＷｉＦｉインターフェイス２１０は、エンドユーザからの制御信号の入力も検出する。ＲＦインターフェイス２１１は、外部リモートコントローラからの制御信号の入力を受信するインターフェイスである。ＩＲインターフェイス２１２は、ＩＲ受信機４００からの制御信号の入力を受信するインターフェイスである。
【００２８】
ＩＲ受信機４００とは、デジタルテレビ受像機１００と物理的に比較的近い距離に配置される装置であり、外部リモートコントローラ等から制御信号を受信する。なお、ＩＲ受信機４００は、テレビ受像機１００のリモートコントローラからの信号を受信してもよい
。
【００２９】
なお、ＩＲ受信機４００及びＩＲインターフェイス２１２は、必ずしもセットトップボックス２００内に備えられる必要はない。同様に、ＲＦインターフェイス２１１は、必ずしもセットトップボックス２００内に備えられる必要はない。
【００３０】
変調部２１３は、制御部２０９から供給された映像信号（ＭＰＥＧ２ＴＳ形式の動画コンテンツ）を変調する処理部である。具体的には、変調部２１３は、８ＰＳＫ（Phase Shift Keying）変調処理を行った後に、ＲＦ（Radio Frequency）信号への変調処理を行う。変調部２１３は、変調処理後の信号を混合部２０４に供給する。
【００３１】
混合部２０４には、ＢＳ／ＣＳアンテナ３００から受信した放送信号と、変調部２１３から供給された映像信号と、が入力される。混合部２０４は、視聴モード（放送視聴モード、コンテンツ視聴モード）に応じて、両信号を重畳し、重畳信号をＢＳ／ＣＳコネクタ２０１を介してデジタルテレビ受像機１００に送信する。詳細には、放送視聴モードの場合、混合部２０４は、放送信号に対して、切替用表示画面を重畳する。コンテンツ視聴モードの場合、混合部２０４は、変調部２１３から供給された映像信号をそのままデジタルテレビ受像機１００に送信する（重畳処理は行わない）。
【００３２】
混合部２０４は、コンテンツ視聴モードから放送視聴モードへの切り替え直後には、電源制御部２０３からの出力指示に応じて出力を行う。詳細には、混合部２０４は、ＢＳ／ＣＳアンテナ３００の電源電圧が安定するまでは切替用表示画面（変調部２１３から受信した信号）を出力し、安定後は重畳信号（放送信号に対して、切替用表示画面を重畳した信号）を出力する。当該制御の詳細は、図７、図９等を参照して後述する。
【００３３】
続いて、図２を参照して、制御部２０９の詳細構成について説明する。制御部２０９は、管理部２２１と、ファイル管理部２２２と、システム制御部２２３と、ネットワーク処理部２２４と、コンテンツデコーダ２２５と、グラフィックス処理部２２６と、グラフィックスミキサ２２７と、ストリーム処理部２２８と、ストリーム出力部２２９と、を備える。
【００３４】
管理部２２１は、セットトップボックス２００内の全体的な制御を行う処理部である。管理部２２１は、上述の視聴モードの情報を保持し、当該視聴モードに応じてデータ入出力の制御を行う。詳細には、管理部２２１は、コンテンツ視聴モードの場合であって、かつストレージ２０７内のコンテンツを視聴することが指定されている場合、ストレージ２０７からファイル管理部２２２を介して指定された動画コンテンツ（動画ファイル）を取得する。そして、管理部２２１は、取得した動画コンテンツをコンテンツデコーダ２２５及びグラフィックス処理部２２６に供給する。
【００３５】
管理部２２１は、コンテンツ視聴モードの場合であって、かつネットワークから取得したコンテンツを視聴することが指定されている場合、ＷｉＦｉインターフェイス２１０及びネットワーク処理部２２４を介してネットワークコンテンツを取得する。管理部２２１は、取得したネットワークコンテンツをストリーム処理部２２８に供給する。
【００３６】
さらに、管理部２２１は、外部から入力される制御信号を受信する。詳細には、管理部２２１は、システム制御部２２３及びネットワーク処理部２２４を介して制御信号を受信する。管理部２２１は、受信した制御信号に応じて、保持する視聴モードを更新する。さらに、管理部２２１は、受信した制御信号を電源制御部２０３に供給する。
【００３７】
ファイル管理部２２２は、管理部２２１とストレージ２０７との動画コンテンツ（または切替用表示画面）のやり取りを制御するインターフェイスである。ファイル管理部２２２は、例えばソフトウェア処理によりストレージ２０７から動画ファイルの読み出し、及びストレージ２０７へのファイル書き込みを行う。
【００３８】
システム制御部２２３は、ＲＦインターフェイス２１１及びＩＲインターフェイス２１２から制御信号を受信する処理部である。システム制御部２２３は、受信した制御信号を管理部２２１に供給する。ＩＲインターフェイス２１２は、テレビ受像機１００のリモートコントローラからの地上波／ＢＳ／ＣＳチャンネル変更の信号や入力切り替えの信号を受信する。この場合、これらの信号を上述のモード切り替えを指示する制御信号として扱う。
【００３９】
ネットワーク処理部２２４は、ＷｉＦｉインターフェイス２１０から制御信号、またはネットワークコンテンツを受信する処理部である。ネットワーク処理部２２４は、受信した制御信号、またはネットワークコンテンツを管理部２２１に供給する。
【００４０】
コンテンツデコーダ２２５は、管理部２２１から受信した動画コンテンツをデコードし、デコード済みのコンテンツをグラフィックスミキサ２２７に供給する。コンテンツデコーダ２２５は、たとえばＭＰＥＧ―２デコーダである。
【００４１】
グラフィックス処理部２２６は、管理部２２１から供給された動画コンテンツに応じて、動画コンテンツに重畳するグラフィックス情報を生成する処理部である。グラフィックス処理部２２６は、生成したグラフィックス情報をグラフィックスミキサ２２７に供給する。
【００４２】
グラフィックスミキサ２２７は、コンテンツデコーダ２２５から供給された動画コンテンツに対し、グラフィックス処理部２２６から供給されたグラフィックス情報を重畳した画面データを生成し、当該画面データをＭＰＥＧ−２エンコーダ２０８に供給する。
【００４３】
ＭＰＥＧ２−エンコーダ２０８は、上述のように画面データをエンコードしたＭＰＥＧ２ＴＳ形式のデータを生成し、生成したデータをストリーム処理部２２８に供給する。ストリーム処理部２２８は、ＭＰＥＧ−２エンコーダまたは管理部２２１から受信したストリームデータを、ストリーム処理部２２９を介して変調部２１３に供給する。
【００４４】
続いて、図３〜図６を参照して、電源制御部２０３の内部構成、及び電源制御動作について説明する。図３は、電源制御部２０３の詳細構成を示すブロック図である。電源制御部２０３は、電源電圧入力部２３１と、電源状態管理部２３２と、電圧監視部２３３と、電源スイッチ２３４と、停止可能電圧生成部２３５と、常時電源電圧生成部２３６と、を備える。なお、図３における点線矢印は、電源電圧を示す。
【００４５】
電源電圧入力部２３１は、ＢＳ／ＣＳチューナ１０１から供給された電源電圧が入力される処理部である。電源電圧入力部２３１は、供給された電源電圧を電源スイッチ２３４、停止可能電圧生成部２３５、及び常時電源電圧生成部２３６に供給する。なお、電源電圧入力部２３１は、平滑化処理を行った後に電圧供給を行っても良い。電源電圧入力部２３１は、ＢＳ／ＣＳチューナ１０１からの電源電圧の供給が開始した場合に、その旨を電源状態管理部２３２に通知する。
【００４６】
電源状態管理部２３２には、制御信号、及び電圧監視部２３３からの電圧情報が入力される。電源現状態管理部２３２は、所定の状態遷移に従った状態情報を保持する。当該状態遷移を図４に示して説明する。
【００４７】
電源状態管理部２３２は、初期状態をＳＴ１とする。状態ＳＴ１は、デジタルテレビ受像機１００からの電源電圧を受けていない状態である。デジタルテレビ受像機１００からの電源電圧の供給が開始した場合、電源状態管理部２３２は、状態ＳＴ１を状態ＳＴ２に遷移させる。
【００４８】
電源状態管理部２３２は、状態ＳＴ２において、ＢＳ／ＣＳアンテナ３００に対する電源電圧の供給が安定した後に、状態ＳＴ３に遷移させる。状態ＳＴ３は、ＢＳ／ＣＳアンテナ３００から受信した放送信号をデジタルテレビ受像機１００に供給する状態（上述の放送視聴モード）である。なお、ＢＳ／ＣＳアンテナ３００への電源電圧の供給制御の詳細は、図７及び図８を参照して後述する。電源状態管理部２３２は、外部リモートコントローラ等による制御信号の入力に応じて状態ＳＴ３を状態ＳＴ４に遷移させる。
【００４９】
状態ＳＴ４は、ストレージ２０７内の動画コンテンツを視聴している状態、またはネットワークから取得したコンテンツを視聴している状態（上述のコンテンツ視聴モード）である。電源状態管理部２３２は、ユーザのリモートコントローラの指示による放送視聴モードへの切り替え指示（制御信号の入力）、または一定時間のリモートコントローラの無操作、に応じて状態ＳＴ４を状態ＳＴ３に遷移させる。各視聴モードにおける電源電圧の供給については、図５及び図６を参照して後述する。
【００５０】
再び、図３を参照する。電源状態管理部２３２は、上述した状態（図３）に応じて、電源スイッチ２３４、停止可能電圧生成部２３５、及び常時電源電圧生成部２３６に対して指示信号を入力する。詳細には、状態がＳＴ３（放送視聴モード）である場合、電源状態管理部２３２は、電源スイッチ２３４に対してＯＮ制御信号を送信し、停止可能電圧生成部２３５に対してＯＦＦ制御信号を送信し、常時電源電圧生成部２３６に対して効率モード制御信号を送信する。一方、状態がＳＴ４（コンテンツ視聴モード）である場合、電源状態管理部２３２は、電源スイッチ２３４に対してＯＦＦ制御信号を送信し、停止可能電圧生成部２３５に対してＯＮ制御信号を送信する。
【００５１】
ここで、状態がＳＴ４（コンテンツ視聴モード）からＳＴ３（放送視聴モード）に切り替わった場合、電源状態管理部２３２は、以下の順序で制御を実行する。
【００５２】
（１）電源状態管理部２３２は、停止可能電圧生成部２３５に対してＯＦＦ制御信号を送信し、常時電源電圧生成部２３６に対して効率モード制御信号を送信する。
（２）停止可能電圧生成部２３５は電圧供給を停止し、常時電源電圧生成部２３６はＤＣ／ＤＣ変換の変換モードを切り替える（詳細は後述する。）。これに応じて、制御部２０９は、コンテンツ（ネットワークコンテンツまたはストレージ２０７内のコンテンツ）の出力を停止し、ストレージ２０７内にある切替用表示画面を出力する。
（３）電源状態管理部２３２は、電源スイッチ２３４に対してＯＮ制御信号を送信する。
（４）電源スイッチ２３４は、ＢＳ／ＣＳアンテナ３００に対する電源電圧供給を開始する。
（５）電源状態管理部２３２は、ＢＳ／ＣＳアンテナ３００に対して供給した電源電圧が安定したか否か（安定電圧レベルとなったか否か）を判定する電圧監視部２３３からの通知（電圧情報）を受信する。電圧が安定した場合、電源状態管理部２３２は、混合部２０４に対してＢＳ／ＣＳアンテナから受信した放送信号と、切替用表示画面と、の重畳開始を指示する。
【００５３】
電圧監視部２３３は、ＢＳ／ＣＳアンテナ３００に供給される電圧レベルが一定値、すなわちＢＳ／ＣＳアンテナ３００が動作できる安定電圧レベルに達しているかを監視する処理部である。安定電圧レベルとは、電源電圧の変動が所定範囲内となっている状態を指す。電源監視部２３３は、監視結果である電圧情報を電源状態管理部２３２に対して供給する。監視手法は、例えば一定電圧レベルに達した後に、オーバーシュートの過渡時間を避けるための遅延時間を加算した後に安定電圧レベルに収束したと判定すればよい。または、ＡＤコンバータを用いて定期的にサンプリングして求めた電圧値が、一定のデータ範囲に連続して属していれば、安定電圧レベルに収束したと判定すればよい。
【００５４】
電源スイッチ２３４は、電源状態管理部２３２から入力されるＯＮ制御信号に応じて、電源電圧をＢＳ／ＣＳアンテナ３００に供給する。また、電源スイッチ２３４は、電源状態管理部２３２から入力されるＯＦＦ制御信号に応じて、ＢＳ／ＣＳアンテナ３００に供給していた電源電圧を遮断する。
【００５５】
停止可能電圧生成部２３５は、電源状態管理部２３２から入力されるＯＮ制御信号に応じて、電源電圧をセットトップボックス２００内の所定処理部（以下、停止可能処理部とも呼称する）に対して供給する。同様に、停止可能電圧生成部２３５は、電源状態管理部２３２から入力されるＯＦＦ制御信号に応じて、セットトップボックス２００内の停止可能処理部に対して供給していた電源電圧を遮断する。停止可能処理部とは、デジタルテレビ受像機１００においてＢＳ／ＣＳ放送を視聴している場合、すなわち放送視聴モードである場合に、電源電圧を供給する必要がない処理部（停止状態にできる処理部）である。なお、停止可能電圧生成部２３５は、適宜ＤＣ／ＤＣ変換を行った後に停止可能処理部に電源電圧を供給する。
【００５６】
常時電源電圧生成部２３６は、視聴モード（放送視聴モード、コンテンツ視聴モード）に関わらず常に電源電圧を供給する必要がある処理部（以下、常時稼働処理部とも呼称する）に対して電源電圧を供給する。常時電源電圧生成部２３６には、状態ＳＴ３（放送視聴モード）の場合に、効率モード制御信号が入力される。常時電源電圧生成部２３６は、視聴モードに応じてＤＣ／ＤＣ変換の変換モードを切り替える。常時電源電圧変換部２３６は、ＤＣ／ＤＣ変換処理後の電源電圧を常時稼働処理部に供給する。効率モード制御信号が入力された場合（放送視聴モードの場合）、常時電源電圧変換部２３６は、消費電力（消費電流）が小さい場合に電力消費効率の良くなるようなＤＣ／ＤＣ変換の変換モードにより変換処理を行う。一方、コンテンツ視聴モードの場合、常時電源電圧変換部２３６は、消費電力（消費電流）が大きい場合に電力消費効率の良くなるようなＤＣ／ＤＣ変換の変換モードにより変換処理を行う。
【００５７】
図５、図６を参照して、各視聴モード（放送視聴モード、コンテンツ視聴モード）における電圧供給について説明する。図５は、状態ＳＴ３（放送視聴モード）における電源電圧の供給状態を示すブロック図である。図中において点線で囲った処理部には、電源制御部２０３を介して電源電圧が供給される。ここで、ＷｉＦｉインターフェイス２１０、ネットワーク処理部２２４、コンテンツデコーダ２２５、グラフィックス処理部２２６、グラフィックスミキサ２２７、及びＭＰＥＧ−２エンコーダ２０８には、電源電圧が供給されない。すなわち、これらの処理部は、上述の停止可能処理部である。さらに、電源電圧制御部２０３内の常時電源電圧生成部２３６は、効率モード制御信号の入力に応じて、消費電力（消費電流）が小さい場合に電力消費効率の良くなるようなＤＣ／ＤＣ変換の変換モードによりＤＣ／ＤＣ変換を行い、ＤＣ／ＤＣ変換後の電源電圧を供給する。
【００５８】
図６は、状態ＳＴ４（コンテンツ視聴モード）における電源電圧の供給状態を示すブロック図である。図５と同様に、図中において点線で囲った処理部には、電源制御部２０３を介して電源電圧が供給される。この場合、電源スイッチ２３４は、オフの状態となる。これにより、ＢＳ／ＣＳコネクタ２０６及びＢＳ／ＣＳアンテナ３００に対して電源供給が行われない。
【００５９】
続いて、図７を参照して、状態ＳＴ４（コンテンツ視聴モード）から状態ＳＴ３（放送視聴モード）への切替時の電源電圧制御（上述の（１）〜（５）に略対応する）について説明する。図７は、状態ＳＴ４から状態ＳＴ３への切り替え時の電源電圧制御の流れを示すフローチャートである。
【００６０】
コンテンツ視聴モードにおいて、制御部２０９は、放送視聴モードへの切り替えを指示する制御信号を検出する（Ｓ１１）。制御部２０９は、電源制御部２０３に対して制御信号を供給する。電源制御部２０３は、当該制御信号に応じて、ＤＣ／ＤＣ変換の変換モードを変更し、セットトップボックス２００内の常時稼働処理部に対して電源電圧を供給する（Ｓ１２）。また、電源制御部２０３は、停止可能制御部に対する電源電圧の供給を停止する。これに応じて、制御部２０９は、切替用表示画面を出力する。
【００６１】
電源制御部２０３は、ＢＳ／ＣＳアンテナ３００及びＢＳ／ＣＳコネクタ２０６への電源電圧供給を開始する（Ｓ１３）。電源制御部２０３内の電源状態監視部２３３は、ＢＳ／ＣＳアンテナ３００への供給電源電圧が所定値に安定して供給されたことを検出する（Ｓ１４）。
【００６２】
電圧の安定供給を検出した後に、電源制御部２０３は、混合部２０４に対して放送信号と、切替用表示画面の重畳処理の開始を指示する。これに応じて、混合部２０４は、重畳処理を開始する（Ｓ１５）。
【００６３】
次に、図８を参照して、状態ＳＴ３（放送視聴モード）から状態ＳＴ４（コンテンツ視聴モード）への切替時の電源電圧制御について説明する。図８は、状態ＳＴ３から状態ＳＴ４への切り替え時の電源電圧制御の流れを示すフローチャートである。
【００６４】
放送視聴モードにおいて、制御部２０９は、コンテンツ視聴モードへの切り替えを指示する制御信号を検出する（Ｓ２１）。制御部２０９は、電源制御部２０３に対して制御信号を供給する。さらに、制御部２０９は、混合部２０４を制御し、混合部２０４への放送信号の入力を停止させる（Ｓ２２）。これにより、混合部２０４は、変調部２１３から供給された映像信号をそのまま出力する。
【００６５】
電源制御部２０３は、ＢＳ／ＣＳアンテナ３００及びＢＳ／ＣＳコネクタ２０６への電源電圧供給を停止する（Ｓ２３）。そして、電源制御部２０３は、セットトップボックス２００内の全ての処理部（ＢＳ／ＣＳコネクタ２０６を除く）に対して通常動作を行うことができる電源電圧を供給する（通常モードに変更する）（Ｓ２４）。
【００６６】
続いて、本実施の形態にかかるシステムの効果について、図９を参照しつつ説明する。図９は、状態ＳＴ４（コンテンツ視聴モード）から状態ＳＴ３（放送視聴モード）への切替時の各地点の電圧と、出力信号と、の関係を示す概念図である。図９に示す各地点（Ａ〜Ｄ）は、図１に示された各点（Ａ〜Ｄ）である。タイミングＴ０において、ユーザは、ネットワークコンテンツまたはストレージ２０７内のコンテンツの視聴からＢＳ／ＣＳ放送の視聴への切り替えを指示する制御信号を、リモートコントローラ等を介して送信する。
【００６７】
タイミングＴ０以前には、変調部２１３の出力信号（Ｃ地点の出力信号）は、ストレージ２０７またはネットワークから取得した動画コンテンツの変調信号である。また、混合部２０４は、当該動画コンテンツを出力する（Ｄ地点の出力信号は、当該動画コンテンツとなる）。
【００６８】
ユーザの制御信号の入力に応じ、電源制御部２０３は、セットトップボックス２００内の停止可能処理部への電源電圧の供給停止、及び常時稼働処理部に供給する電源電圧のＤＣ／ＤＣ変換モードの変更を行う（タイミングＴ１）。当該変更に応じて、制御部２０９は、切替用表示画面の出力に切り替える。これにより、Ｃ地点への出力信号は、切替用表示画面に関する信号となる。よって、混合部２０４からの出力信号も、切替用表示画面に関する信号となる。
【００６９】
その後に、電源制御部２０３は、ＢＳ／ＣＳアンテナ３００及びＢＳ／ＣＳコネクタ２０６への電源電圧の供給を開始する（タイミングＴ２）。
【００７０】
タイミングＴ２の直後には、ＢＳアンテナ３００及びＢＳ／ＣＳコネクタ２０６の電圧値（Ａ地点の電圧値）は、変動する（安定しない）。また、Ｂ地点には、コンデンサ２０５が直流成分を遮断するものの、Ａ地点の電圧変動の影響がノイズとして伝搬する、すなわち、Ｂ地点の電圧値は変動する。
【００７１】
電源制御部２０３内の電圧監視部２３３は、Ａ地点における電圧の安定化を監視する。そして、電圧監視部２３３は、タイミングＴ３において電圧が安定化したことを検出する。これに応じて、電源制御部２０３は、混合部２０４に対して重畳信号（ＢＳ／ＣＳアンテナ３００から受信した放送信号に切替用表示画面を重畳した信号）の出力を開始させる。
【００７２】
ＢＳ／ＣＳアンテナ３００及びＢＳ／ＣＳコネクタ２０６の動作電圧が安定するまでは、ＢＳ／ＣＳアンテナ３００から取得した放送信号にノイズが含まれる恐れがある。このノイズを含む信号をデジタルテレビ受像機１００に供給した場合、デジタルテレビ受像機１００に悪影響を与える恐れがある。上述の構成では、図９に示すように、電圧が安定化していない期間（Ｔ２〜Ｔ３）には、混合部２０４は、デジタルテレビ受像機１００に対して切替用表示画面（すなわちセットトップボックス２００の制御により取得したコンテンツ）を出力し、ＢＳ／ＣＳアンテナ３００から取得した放送信号を出力しない。これにより、デジタルテレビ受像機１００がノイズによる影響を受けることが無くなり、安定した動作を行うことが保証される。
【００７３】
また、放送信号をデジタルテレビ受像機１００が受信する場合、混合部２０４は、放送信号と共に切替用表示画面に関する信号を重畳して送信する。当該切替用表示画面の情報を送信することにより、デジタルテレビ受像機１００においてセットトップボックス２００用のチャンネルの情報を保持できる。これにより、デジタルテレビ受像機１００は、単一のＢＳ／ＣＳチューナ１０１に対して信号を送信すればよい。よって、デジタルテレビ受像機１００の入力端子を減らせるとともに、セットトップボックス２００の出力端子を減らすことができる。
【００７４】
上述のように、セットトップボックス２００及びＢＳ／ＣＳアンテナ３００は、デジタルテレビ受像機１００から供給される電源電圧により駆動する。そのため、セットトップボックス２００及びＢＳ／ＣＳアンテナ３００は、固有の電源ケーブル等を有する必要がなくなる。これにより、装置の小型化及びケーブル配線の自由度が増加する。
【００７５】
さらに、常時電源電圧生成部２３６は、視聴モード（放送視聴モード、コンテンツ視聴モード）に応じて、ＤＣ／ＤＣ変換の変換モードを切り替えている。これにより、電力効率を向上させることができる。
【００７６】
なお、上述の説明では、セットトップボックス２００は、信号重畳を行う混合部２０４を備えるものとして説明したが必ずしもこれに限られない。セットトップボックス２００は、混合部２０４に代わり、コンテンツ視聴モードの際に変調部２１３から供給された信号を出力し、放送視聴モードの際にＢＳ／ＣＳコネクタ２０６から供給された信号を出力する送信部を備えても良い。当該送信部によっても、電源電圧の安定した後に放送信号をデジタルテレビ受像機１００に供給することができる。なお、混合部２０４は、視聴モードに応じて変調部２１３から供給された信号、またはＢＳ／ＣＳコネクタ２０６から供給された信号、の少なくとも一方を出力しているため、送信部の一態様と解釈できる。
【００７７】
＜実施の形態２＞
本実施の形態にかかる放送通信システムは、複数台のデジタルテレビ受像機１００を備える。本実施の形態では、セットトップボックス２００が録画機能を備える点や、モード切り替え時の処理速度を向上できる点を特徴とする。本実施の形態にかかる放送通信システムについて、実施の形態１と異なる点を以下に説明する。
【００７８】
はじめに、図１０を参照して、本実施の形態における放送通信システムの概要を説明する。図１０に示すように、当該放送通信システムには、複数のデジタルテレビ受像機１００（１００−１、１００−２）が存在する。デジタルテレビ受像機１００−１は、直接ＢＳ／ＣＳアンテナ３００と接続する。デジタルテレビ受像機１００−２は、セットトップボックス２００を介してＢＳ／ＣＳアンテナ３００と接続する。
【００７９】
一般に、デジタルテレビ受像機１００−１は、ＢＳ／ＣＳアンテナ３００に電源電圧を供給することができる。また実施の形態１で述べたように、セットトップボックス２００は、デジタルテレビ受像機１００−２から供給された電源電圧により稼働でき、ＢＳ／ＣＳアンテナ３００に対して電源電圧を供給できる。
【００８０】
図１１を参照して、本実施の形態にかかる電源制御部２０３の動作について、実施の形態１と異なる点を説明する。図１１は、本実施の形態にかかる電源制御部２０３の構成を示すブロック図である。本実施の形態では、電源監視部２３３は、ＢＳ／ＣＳアンテナ３００に供給されている電源電圧も監視する。すなわち、電源監視部２３３は、セットトップボックス２００と接続しないテレビ受像機１００−１からＢＳ／ＣＳアンテナ３００に電源電圧供給が行われているか否かを電源状態管理部２３２に通知する。
【００８１】
電源状態管理部２３２は、セットトップボックス２００と接続しないテレビ受像機１００−１からＢＳ／ＣＳアンテナ３００に電源電圧供給が行われていない場合、実施の形態１と同様の電源電圧制御を行う。
【００８２】
セットトップボックス２００と接続しないテレビ受像機１００−１からＢＳ／ＣＳアンテナ３００に電源電圧供給が行われている場合、電源状態管理部２３２は、常にコンテンツ視聴モードと同様に電源電圧を供給する。すなわち、電源状態管理部２３２は、接続するデジタルテレビ受像機１００−２に対して放送信号を送信する場合であっても、セットトップボックス２００内の全ての処理部に電源電圧を供給する。なお、この場合には、電源状態管理部２３２は、電源スイッチ２３４に対してＯＦＦ制御信号を送信する。さらに、電源状態管理部２３２は、混合部２０４に対して放送信号と、変調部２１３が出力する映像信号を常に重畳するように指示する。これに応じて、混合部２０４は、常に放送信号と映像信号の重畳処理を行う。
【００８３】
以下、本実施の形態にかかるセットトップボックス２００の構成について図１２を参照して説明する。本実施の形態にかかるセットトップボックス２００は、図１の構成に加えて分波部２４１と、チューナ２４２と、復調部２４３と、を更に備える。なお、分波部２４１、チューナ２４２、及び復調部２４３は、上述の停止可能処理部に該当する。
【００８４】
分波部２４１は、コンテンツ視聴モードの場合、またはセットトップボックス２００と接続しないテレビ受像機１００からＢＳ／ＣＳアンテナ３００に電源電圧の供給が行われている場合、受信した放送信号を分波して混合部２０４及びチューナ２４２に供給する。
【００８５】
チューナ２４２は、一般的な同調回路であり、出力信号を復調部２４３に供給する。復調部２４３は、チューナ２４２から入力された放送信号を復調し、復調済みの信号を制御部２０９に供給する。制御部２０９は、復調部２４３から供給された信号を適宜ストレージ２０７に格納する。すなわち、制御部２０９は、放送信号の録画処理を行う。制御部２０９は、例えば外部のリモートコントローラからの録画指示信号が入力された場合に、復調部２４３から供給された放送信号を録画すればよい。
【００８６】
セットトップボックス２００と接続しないテレビ受像機１００−１からＢＳ／ＣＳアンテナ３００に電源電圧供給が行われている場合、制御部２０９は、ネットワークコンテンツまたはストレージ２０７から読み出したコンテンツを出力する。
【００８７】
続いて、本実施の形態にかかるセットトップボックス２００の効果について説明する。上述のように、セットトップボックス２００と接続しないテレビ受像機１００−１からＢＳ／ＣＳアンテナ３００に電源電圧供給が行われている場合、停止可能処理部に対しても常に電源電圧の供給が行われる。すなわち、放送視聴モードであっても、停止可能処理部に対して電源電圧の供給が行われる。これにより、放送視聴モードからコンテンツ視聴モードへの切り替えが生じた場合、停止可能処理部は、切り替え後すぐに処理を実行することが可能となる。そのため、視聴モード切り替え時の処理待ちの時間が無くなり、デジタルテレビ受像機１００−２の視聴者にとって違和感のないモード切り替えを実現することができる。
【００８８】
放送視聴モードであっても停止可能処理部に対して電源電圧の供給が行われることにより、セットトップボックス２００は、ＢＳ／ＣＳ放送をデジタルテレビ受像機１００−２に供給しつつ、ＷｉＦｉ通信によりネットワークコンテンツを受信してストレージ２０７に格納することが可能となる。同様に、セットトップボックス２００は、ＢＳ／ＣＳ放送をデジタルテレビ受像機１００−２に供給しつつ、受信中のＢＳ／ＣＳ放送を録画することが可能となる。
【００８９】
以上、本発明者によってなされた発明を実施の形態に基づき具体的に説明したが、本発明は前記実施の形態に限定されるものではなく、その要旨を逸脱しない範囲で変更可能であることはいうまでもない。
【００９０】
たとえば、上述の説明では、セットトップボックス２００は、ＢＳ／ＣＳ放送信号を受信するＢＳ／ＣＳアンテナ３００と接続することを説明したが、必ずしもこれに限られず、地上波放送信号を受信する構成であっても良い。
【００９１】
上述のセットトップボックス２００において、制御部２０９、電源制御部２０３、混合部２０４、分波部２４１、チューナ２４２、復調部２４３を含む各処理部は、１つの半導体チップ上に回路として実現され得る。
【符号の説明】
【００９２】
１００  デジタルテレビ受像機
１０１  ＢＳ／ＣＳチューナ
２００  セットトップボックス
２０１  ＢＳ／ＣＳコネクタ
２０２  コンデンサ
２０３  電源制御部
２０４  混合部
２０５  コンデンサ
２０６  ＢＳ／ＣＳコネクタ
２０７  ストレージ
２０８  ＭＰＥＧ−２エンコーダ
２０９  制御部
２１０  ＷｉＦｉインターフェイス
２１１  ＲＦインターフェイス
２１２  ＩＲインターフェイス
２１３  変調部
２２１  管理部
２２２  ファイル管理部
２２３  システム制御部
２２４  ネットワーク処理部
２２５  コンテンツデコーダ
２２６  グラフィックス処理部
２２７  グラフィックスミキサ
２２８  ストリーム処理部
２２９  ストリーム出力部
２３１  電源電圧入力部
２３２  電源状態管理部
２３３  電源監視部
２３４  電源スイッチ
２３５  停止可能電圧生成部
２３６  常時電源電圧生成部
２４１  分波部
２４２  チューナ
２４３  復調部
３００  ＢＳ／ＣＳアンテナ
３０１  ＬＮＢ
４００  ＩＲ受信機
【図１】
2013179389.tif 000003
【図２】
2013179389.tif 000004
【図３】
2013179389.tif 000005
【図４】
2013179389.tif 000006
【図５】
2013179389.tif 000007
【図６】
2013179389.tif 000008
【図７】
2013179389.tif 000009
【図８】
2013179389.tif 000010
【図９】
2013179389.tif 000011
【図１０】
2013179389.tif 000012
【図１１】
2013179389.tif 000013
【図１２】
2013179389.tif 000014